(57)【要約】【課題】加入者回路に対して、オフフック検出機能の試験と音声パスの正常性の試験を一連の処理として行うことのできる加入者回路試験装置、加入者回路試験システム、加入者回路試験方法および加入者回路試験プログラムを提供する。【解決手段】試験用擬似端末制御部２０５の接続された試験用擬似端末２０４を試験対象となるＶｏＩＰ加入者回路２０３に接続し、直流ループ形成部２４５で擬似的に直流ループを形成する。これに対してダイヤルトーンがＶｏＩＰ加入者回路２０３から返送されてきたら電話番号送出部２４６から電話番号を構成するトーン信号の一部を試験用として送出し、これに対応する形でＶｏＩＰ加入者回路２０３がダイヤルトーンの送出を停止したらＶｏＩＰ加入者回路２０３が正常であると判別する。【選択図】図１
2006304168.tif 000002
【特許請求の範囲】
【請求項１】
加入者回路の試験時に接続され、電話端末との間の直流ループを電話端末を介さずに擬似的に形成する直流ループ形成手段と、
この直流ループ形成手段で形成された直流ループを前記加入者回路が検出し電話番号の送出を可とするダイヤルトーンを返送してくるか否かを監視するダイヤルトーン返送有無監視手段と、
このダイヤルトーン返送有無監視手段がダイヤルトーンの返送を検出したら電話番号を構成するトーン信号の一部を試験用として前記加入者回路に送出する電話番号送出手段と、
この電話番号送出手段の送出したトーン信号に対して前記加入者回路がダイヤルトーンの送出を停止させるか否かを監視するダイヤルトーン送出停止有無監視手段と、
このダイヤルトーン送出停止有無監視手段がダイヤルトーンの送出の停止を確認したら前記加入者回路が正常であると判別する正常判別手段
とを具備することを特徴とする加入者回路試験装置。
【請求項２】
前記ダイヤルトーン返送有無監視手段が前記直流ループ形成手段の直流ループの形成に対してダイヤルトーンの返送を予め定めた第１の時間内に行わなかったとき、前記加入者回路で直流ループの検出についての障害が発生したものと判別する直流ループ検出障害判別手段とダイヤルトーンの送出についての障害が発生したものと判別するダイヤルトーン送出障害判別手段を具備することを特徴とする請求項１記載の加入者回路試験装置。
【請求項３】
前記ダイヤルトーン送出停止有無監視手段がダイヤルトーンの送出の停止を予め定めた第２の時間内に行わなかったとき、前記電話端末の送出する電話番号の受信についての障害が発生したものと判別する電話番号受信障害判別手段を具備することを特徴とする請求項１記載の加入者回路試験装置。
【請求項４】
前記加入者回路は呼処理機能を備えたＶｏＩＰ加入者回路であることを特徴とする請求項１記載の加入者回路試験装置。
【請求項５】
複数の請求項１記載の加入者回路試験装置と、
これら加入者回路試験装置と試験時に１対１に接続されたＶｏＩＰ加入者回路
とを具備することを特徴とする加入者回路試験システム。
【請求項６】
加入者回路の試験時に電話端末との間の直流ループを電話端末を介さずに擬似的に形成する直流ループ形成ステップと、
この直流ループ形成ステップで形成された直流ループを前記加入者回路が検出し電話番号の送出を可とするダイヤルトーンを返送してくるか否かを監視するダイヤルトーン返送有無監視ステップと、
このダイヤルトーン返送有無監視ステップでダイヤルトーンの返送を検出したら電話番号を構成するトーン信号の一部を試験用として前記加入者回路に送出する電話番号送出ステップと、
この電話番号送出ステップで送出したトーン信号に対して前記加入者回路がダイヤルトーンの送出を停止させるか否かを監視するダイヤルトーン送出停止有無監視ステップと、
このダイヤルトーン送出停止有無監視ステップでダイヤルトーンの送出の停止を確認したら前記加入者回路が正常であると判別する正常判別ステップ
とを具備することを特徴とする加入者回路試験方法。
【請求項７】
加入者回路の試験時にこれと接続される加入者回路試験装置のコンピュータに、
加入者回路の試験時に電話端末との間の直流ループを電話端末を介さずに擬似的に形成する直流ループ形成処理と、
この直流ループ形成処理で形成された直流ループを前記加入者回路が検出し電話番号の送出を可とするダイヤルトーンを返送してくるか否かを監視するダイヤルトーン返送有無監視処理と、
このダイヤルトーン返送有無監視処理でダイヤルトーンの返送を検出したら電話番号を構成するトーン信号の一部を試験用として前記加入者回路に送出する電話番号送出処理と、
この電話番号送出処理で送出したトーン信号に対して前記加入者回路がダイヤルトーンの送出を停止させるか否かを監視するダイヤルトーン送出停止有無監視処理と、
このダイヤルトーン送出停止有無監視処理でダイヤルトーンの送出の停止を確認したら前記加入者回路が正常であると判別する正常判別処理
とを実行させることを特徴とする加入者回路試験プログラム。
【発明の詳細な説明】
【技術分野】
【０００１】
本発明は、加入者回路の試験を行う加入者回路試験装置、加入者回路試験システム、加入者回路試験方法および加入者回路試験プログラムに関する。
【背景技術】
【０００２】
電話機に対して電話の呼出音の送出を行ったり、電話機の各種の状態を検出するために加入者回路が設けられている。加入者回路試験装置は、加入者回路の機能の試験を行うようになっている。従来から各種の加入者回路試験装置が提案されている（たとえば特許文献１参照）。
【０００３】
図４は、従来提案された加入者回路試験装置の一例を表わしたものである。この提案の加入者回路試験装置１００は、加入者回路１０１と、この加入者回路１０１に接続される第１の試験装置１０２と、加入者回路１０１とデジタルスイッチ回路網１０３の間に配置された集線装置１０４と、デジタルスイッチ回路網１０３に接続される第２の試験装置１０５と、集線装置１０４に接続される直流ループ監視装置１０６から構成されている。
【０００４】
ここで、加入者回路１０１は、図示しない電話機に接続された加入者線としてのＬ１線１１１、Ｌ２線１１２を、それぞれスイッチ１１３、１１４を介して接続した加入者回路試験を行わない状態で、この電話機のオフフックによる直流ループの検出を行う直流ループ検出部１１５を備えている。直流ループ検出部１１５は音声信号送受部１１６を介して集線装置１０４と接続されている。第１の試験装置１０２は、試験用引き込み線１１７、１１８に設けられた試験用引き込みスイッチ１１９、１２０を介して直流ループ検出部１１５と接続されている。第１の試験装置１０２は試験時に直流ループが形成されるように回路を構成し、加入者回路１０１内の直流ループ検出部１１５がこれを基にしてオフフック検出（直流ループ検出）を行い、この検出出力を集線装置１０４を経由して直流ループ監視装置１０６で監視するようになっている。これが１番目の試験である。
【０００５】
一方、２番目の試験を行う際、第２の試験装置１０５は、所定の可聴周波数の試験信号を出力する。この試験信号は、デジタルスイッチ回路網１０３および集積装置１０４を経由して加入者回路１０１に到達し、試験用引き込み線１１７、１１８および試験用引き込みスイッチ１１９、１２０を通過して、第１の試験装置１０２内に導かれる。第１の試験装置１０２内でこの試験信号は折り返される。折り返された試験信号は、集線装置１０４およびデジタルスイッチ回路網１０３を経由して第２の試験装置１０５で受信される。これにより、音声パスの正常性の試験としての伝送機能試験が実施される。
【特許文献１】特開平３−２７０５４６号公報（第３ページ右上欄第１行目〜第４ページ左下欄第２行目、第４図〜第７図）
【発明の開示】
【発明が解決しようとする課題】
【０００６】
このように従来の加入者回路試験装置１００では、第１の試験装置１０２および直流ループ監視装置１０６を用いてオフフック検出機能の試験を行い、第１および第２の試験装置１０２、１０５を使用して音声パスの正常性の試験を行うようになっていた。このように従来の加入者回路試験装置では、２種類の試験を、１番目の試験と２番目の試験というように別々に実施していた。このため、全体としての試験時間が長時間化するという問題があった。また、２種類の試験に個別に対応させるために、試験を行う第１および第２の試験装置の構成が複雑になるという問題があった。
【０００７】
そこで本発明の目的は、加入者回路に対して、オフフック検出機能の試験と音声パスの正常性の試験を一連の処理として行うことのできる加入者回路試験装置、加入者回路試験システム、加入者回路試験方法および加入者回路試験プログラムを提供することにある。
【課題を解決するための手段】
【０００８】
本発明では、（イ）加入者回路の試験時に接続され、電話端末との間の直流ループを電話端末を介さずに擬似的に形成する直流ループ形成手段と、（ロ）この直流ループ形成手段で形成された直流ループを加入者回路が検出し電話番号の送出を可とするダイヤルトーンを返送してくるか否かを監視するダイヤルトーン返送有無監視手段と、（ハ）このダイヤルトーン返送有無監視手段がダイヤルトーンの返送を検出したら電話番号を構成するトーン信号の一部を試験用として加入者回路に送出する電話番号送出手段と、（ニ）この電話番号送出手段の送出したトーン信号に対して加入者回路がダイヤルトーンの送出を停止させるか否かを監視するダイヤルトーン送出停止有無監視手段と、（ホ）このダイヤルトーン送出停止有無監視手段がダイヤルトーンの送出の停止を確認したら加入者回路が正常であると判別する正常判別手段とを加入者回路試験装置に具備させる。
【０００９】
すなわち、本発明では加入者回路試験装置に直流ループ形成手段を具備させて、まず電話端末との間の直流ループを電話端末を介さずに擬似的に形成させる。これにより、加入者回路が正常であれば直流ループを加入者回路が検出し電話番号の送出を可とするダイヤルトーンを返送してくる。そこでダイヤルトーン返送有無監視手段でダイヤルトーンが返送されてくるかどうかを監視し、ダイヤルトーンの返送が検出されたら、電話番号送出手段を用いて電話番号を構成するトーン信号の一部を試験用として加入者回路に送出する。そして、加入者回路が電話番号送出手段の送出したトーン信号に対応する形でダイヤルトーンの送出を停止させるか否かをダイヤルトーン送出停止有無監視手段で監視する。そして、ダイヤルトーン送出停止有無監視手段がダイヤルトーンの送出の停止を確認したら正常判別手段で加入者回路が正常であると判別することにしている。このようにして正常判別手段で加入者回路が正常であると判別すれば、オフフック検出機能の試験と音声パスの正常性の試験が正常に終了することになる。
【００１０】
本発明では、（イ）加入者回路の試験時に電話端末との間の直流ループを電話端末を介さずに擬似的に形成する直流ループ形成ステップと、（ロ）この直流ループ形成ステップで形成された直流ループを加入者回路が検出し電話番号の送出を可とするダイヤルトーンを返送してくるか否かを監視するダイヤルトーン返送有無監視ステップと、（ハ）このダイヤルトーン返送有無監視ステップでダイヤルトーンの返送を検出したら電話番号を構成するトーン信号の一部を試験用として加入者回路に送出する電話番号送出ステップと、（ニ）この電話番号送出ステップで送出したトーン信号に対して加入者回路がダイヤルトーンの送出を停止させるか否かを監視するダイヤルトーン送出停止有無監視ステップと、（ホ）このダイヤルトーン送出停止有無監視ステップでダイヤルトーンの送出の停止を確認したら加入者回路が正常であると判別する正常判別ステップとを加入者回路試験方法に具備させる。
【００１１】
すなわち、本発明では、まず直流ループ形成ステップで加入者回路の試験時に電話端末との間の直流ループを電話端末を介さずに擬似的に形成し、ダイヤルトーン返送有無監視ステップで直流ループを加入者回路が検出し電話番号の送出を可とするダイヤルトーンを返送してくるか否かを監視する。そして、ダイヤルトーンの返送を検出したら、電話番号送出ステップで電話番号を構成するトーン信号の一部を試験用として加入者回路に送出する。これに対してダイヤルトーン送出停止有無監視ステップで加入者回路がダイヤルトーンの送出を停止させたことが分かったら、正常判別ステップで加入者回路が正常であると判別することにしている。このようにして正常判別ステップで加入者回路が正常であると判別すれば、オフフック検出機能の試験と音声パスの正常性の試験が正常に終了することになる。
【００１２】
本発明の加入者回路試験プログラムでは、（イ）加入者回路の試験時にこれと接続される加入者回路試験装置のコンピュータに、（ロ）加入者回路の試験時に電話端末との間の直流ループを電話端末を介さずに擬似的に形成する直流ループ形成処理と、（ハ）この直流ループ形成処理で形成された直流ループを加入者回路が検出し電話番号の送出を可とするダイヤルトーンを返送してくるか否かを監視するダイヤルトーン返送有無監視処理と、（ニ）このダイヤルトーン返送有無監視処理でダイヤルトーンの返送を検出したら電話番号を構成するトーン信号の一部を試験用として加入者回路に送出する電話番号送出処理と、（ホ）この電話番号送出処理で送出したトーン信号に対して加入者回路がダイヤルトーンの送出を停止させるか否かを監視するダイヤルトーン送出停止有無監視処理と、（へ）このダイヤルトーン送出停止有無監視処理でダイヤルトーンの送出の停止を確認したら加入者回路が正常であると判別する正常判別処理とを実行させることを特徴としている。
【００１３】
すなわち、本発明では加入者回路の試験を行う加入者回路試験装置のコンピュータに、電話端末との間の直流ループを電話端末を介さずに擬似的に形成する直流ループ形成処理をまず実行させて直流ループを形成させ、次にダイヤルトーン返送有無監視処理を実行することで直流ループを加入者回路が検出し電話番号の送出を可とするダイヤルトーンを返送してくるか否かを監視する。そして、ダイヤルトーンの返送を検出したら、電話番号送出処理を実行して電話番号を構成するトーン信号の一部を試験用として加入者回路に送出する。これに対してダイヤルトーン送出停止有無監視処理で加入者回路がダイヤルトーンの送出を停止させたことが分かったら、正常判別処理を実行して加入者回路が正常であると判別することにしている。このようにして正常判別処理で加入者回路が正常であると判別すれば、オフフック検出機能の試験と音声パスの正常性の試験が正常に終了することになる。
【発明の効果】
【００１４】
以上説明したように、本発明では加入者回路試験装置を１対１で加入者回路に接続した後、直流ループを擬似的に形成して、その後は加入者回路と電話端末の間で行われる処理を擬似的に実行していくので、オフフック検出機能の試験と音声パスの正常性の試験を一連の処理として実行することができ、これらについて加入者回路が正常であれば簡単にその確認を行うことができる。また、正常性が判別されなかった場合には、どの時点で処理が正常に行われなかったかによって障害の状況を把握することができる。
【発明を実施するための最良の形態】
【００１５】
以下実施例につき本発明を詳細に説明する。
【実施例１】
【００１６】
図１は、本発明の一実施例における加入者回路試験装置の構成を表わしたものである。本実施例の加入者回路試験装置２００は、加入者線としてのＬ１線２０１、Ｌ２線２０２と接続されたＶｏＩＰ（Voice over Internet Protocol）加入者回路２０３と、これに接続された試験用擬似端末２０４と、この試験用擬似端末２０４に接続されてこれを制御することでＶｏＩＰ加入者回路２０３の試験を行う試験用擬似端末制御部２０５によって構成されている。ここで、ＶｏＩＰ加入者回路２０３は、ＩＰ（Internet Protocol）ネットワーク上で音声情報を伝達する技術を使用した加入者回路である。また、試験用擬似端末制御部２０５はＶｏＩＰ加入者回路２０３の呼処理に追従して制御を行うようになっている。試験用擬似端末制御部２０５はこの制御を行うために、図示しないがＣＰＵとこのＣＰＵが実行する制御プログラムを格納したＲＯＭ（リード・オンリ・メモリ）等の記憶媒体を備えている。
【００１７】
本実施例のＶｏＩＰ加入者回路２０３は、図示しない電話機等の端末に対し、呼出音の送出や電話機の状態検出等を行うための各種の機能を備えた加入者回路２１１と、プログラミングにより任意の処理を行う半導体としてのＤＳＰ（Digital Signal Processor）部２１２と、図示しないＣＰＵ（中央処理装置）とその実行するプログラムを格納した記憶媒体から構成されるＣＰＵ部２１３とから構成されている。
【００１８】
加入者回路２１１は、スイッチ２２１、２２２を介して接続した直流ループ検出部２２３を備えている。直流ループ検出部２２３は、前記した電話機等の端末側のオフフックにより直流ループができると、この直流ループの検出を行うようになっている。音声信号送受部２２４は、加入者線としてのＬ１線２０１、Ｌ２線２０２を経由して加入者より送出される音声を受信してアナログ信号からデジタル信号としてのＰＣＭ（Pulse Code Modulation）信号に変換してＩＰネットワーク２３５側に送出し、ＩＰネットワーク２３５側より入力される音声を受信してＰＣＭ信号からアナログ信号に変換し加入者側に送出するようになっている。ＤＳＰ部２１２は音声信号送受部２２４に接続され、加入者側にトーンを送出するトーン送出部２２７と、加入者より送出される電話番号を構成するトーン信号を検出するトーン検出部２２６と、音声送受部２２４で発生するエコーをキャンセルするエコーキャンセラ２２８を備えている。エコーキャンセラ２２８は、ＣＰＵ部２１３と接続されている。ＣＰＵ部２１３は、呼処理制御を行う呼処理部２３１を備える他、ＩＰネットワークインタフェース部２３２を備えている。ＩＰネットワークインタフェース部２３２は、ＤＳＰ部２１２内のエコーキャンセラ２２８と接続される他、ＩＰネットワーク２３５と接続されており、エコーキャンセラ２２８および呼処理部２３１とＩＰネットワーク２３５の間でパケットのインタフェース回路としての働きを有している。
【００１９】
試験用擬似端末２０４は、試験用引き込みスイッチ２４１を介して接続された試験用引き込み線２４２と、試験用引き込みスイッチ２４３を介して接続された試験用引き込み線２４４の双方に接続された直流ループ形成部２４５を備えている。直流ループ形成部２４５は直流ループを形成するもので、電話番号送出部２４６を介してダイヤルトーン検出部２４７に接続されている。ダイヤルトーン検出部２４７は、ダイヤルトーンを検出し、電話番号送出部２４６は電話番号を試験用引き込み線２４２、２４４に送出するようになっている。
【００２０】
このような本実施例の加入者回路試験装置２００の動作を次に説明する。試験に際して、ＶｏＩＰ加入者回路２０３内の加入者回路２１１の試験用引き込み線２４２、２４４に試験用擬似端末２０４を接続し、試験用擬似端末２０４には試験用擬似端末制御部２０５を接続する。
【００２１】
図２は、この状態で試験用擬似端末制御部が行う試験のための一連の制御の様子を表わしたものである。まず、試験用擬似端末制御部２０５は試験開始の指示を受けると（ステップＳ３０１：Ｙ）、直流ループ形成部２４５に対して直流ループの形成を指示する（ステップＳ３０２）。これを基にして直流ループ形成部２４５は、たとえば試験用引き込みスイッチ２４１、２４３をオンにして直流ループを作る。これにより、たとえば電話機をオフフックした場合と同様に直流ループ検出部２２３が直流ループを検出することになる。
【００２２】
図３は、直流ループ検出部が直流ループを検出した際のＣＰＵ部の制御の様子を表わしたものである。図１に示すＣＰＵ部２１３は直流ループ検出部２２３による直流ループの検出出力が存在するかをスキャンしている。そして、直流ループの検出が所定の時間ｔ1以上連続して検出されると（ステップＳ３２１：Ｙ）、ＣＰＵ部２１３は直流ループが検出されたと判別して、呼処理部２３１で呼処理を行う（ステップＳ３２２）。そして、ＤＳＰ部２１２よりトーン送出部２２７を使用して試験用引き込み線２４２、２４４を介して試験用擬似端末２０４にダイヤルトーンの送出を開始させる（ステップＳ３２３）。このダイヤルトーンは、通常の場合、発呼者に対し選択信号を送出しても良いことを知らせるための信号である。
【００２３】
図２に戻って試験用擬似端末制御部２０５の制御の説明を続ける。試験用擬似端末制御部２０５はダイヤルトーン検出部２４７の出力レベルを監視しており、ダイヤルトーン検出部２４７がダイヤルトーンを検出すると、その時点でたとえばＨ（ハイ）レベルにその出力レベルが切り替わったことでダイヤルトーンが検出されたことを判別する（ステップＳ３０３：Ｙ）。試験用擬似端末制御部２０５は、この判別結果に基づいて、電話番号送出部２４６を指示して１桁の電話番号のトーン信号を試験用引き込み線２４２、２４４を介して送出させる（ステップＳ３０４）。
【００２４】
図３に戻ってＣＰＵ部の制御の説明を続ける。試験用擬似端末制御部２０５の指示によって送出されたこの１桁の電話番号のトーン信号は、ＤＳＰ部２１２内のトーン検出部２２６で受信される（ステップＳ３２４：Ｙ）。ＣＰＵ部２１３は、このトーン検出部２２６の検出結果を検知して呼処理を行って（ステップＳ３２５）、試験ためのダイヤルトーンの送出開始に対する対応として、ＤＳＰ部２１２のトーン送出部２２７によるダイヤルトーンの送出を停止させる（ステップＳ３２６）。
【００２５】
図２に再び戻って説明を続ける。試験用擬似端末制御部２０５ではステップＳ３０４で１桁の電話番号のトーン信号を送出した後、ＶｏＩＰ加入者回路２０３から試験用引き込み線２４２、２４４を介して送られてくるダイヤルトーンが停止するかを監視している（ステップＳ３０５）。そして、図３のステップＳ３２６の処理によってダイヤルトーンの送出が停止すると（ステップＳ３０５：Ｙ）、試験が正常に終了したことを表示して（ステップＳ３０６）、一連の試験を終了させる（エンド）。表示は、図示しないディスプレイに文字等で行ってもよいし、図示しないスピーカからその旨の音声等を出力することで行ってもよい。このようにして、通常の呼処理と試験用擬似端末２０４の組み合わせによって試験を行い、ＶｏＩＰ加入者回路２０３の加入者回路２１１、ＤＳＰ部２１２およびＣＰＵ部２１３の正常性を確認することができる。
【００２６】
一方、ステップＳ３０２で直流ループを形成してからその検出が行われると想定される時間を十分越えた所定の時間ｔ2を経過してもステップＳ３０３のダイヤルトーンの検出が行われなかった場合（ステップＳ３０７：Ｙ）、試験用擬似端末制御部２０５は、直流ループがＶｏＩＰ加入者回路２０３側で検出できなかったこととダイヤルトーンがＶｏＩＰ加入者回路２０３から送出できなかったと判別する。この場合には、直流ループ検出障害とダイヤルトーン送出障害の表示が行われて（ステップＳ３０８）、試験が終了する（エンド）。このような直流ループ検出障害およびダイヤルトーン送出障害は、たとえば、加入者回路２１１やＤＳＰ部２１２やＣＰＵ部２１３に障害が発生している場合に発生する。したがって、直流ループ検出障害やダイヤルトーン送出障害の表示が行われた場合、保守担当者はＶｏＩＰ加入者回路２０３の交換あるいは修理を実施することになる。
【００２７】
また、ステップＳ３０５のダイヤルトーンの停止がステップＳ３０３でダイヤルトーンの検出を行ってから通常想定される停止までの時間を十分越えた所定の時間ｔ3を経過しても行われなかった場合（ステップＳ３０９：Ｙ）、試験用擬似端末制御部２０５は、ダイヤルトーン停止障害表示を行って（ステップＳ３１０）、試験を終了させる（エンド）。ここでダイヤルトーン停止障害表示が行われる場合は次の通りである。
【００２８】
まず、図２のステップＳ３０４で送出した電話番号をＶｏＩＰ加入者回路２０３側が受信できない障害の発生である。この障害はＤＳＰ部２１２あるいは加入者回路２１１を原因とすると考えられる。次に、ダイヤルトーンを停止できない障害の発生を挙げることができる。この障害は、ＤＳＰ部２１２あるいはＣＰＵ部２１３を原因とすると考えられる。なお、図３に示したステップＳ３２１の直流ループ検出からステップＳ３２３のダイヤルトーンの送出、ステップＳ３２４の電話番号の受信およびステップＳ３２６のダイヤルトーンの送出停止という一連の処理が完全に行われなければ、同様にダイヤルトーンの停止が行えない。この場合には、ＣＰＵ部２１３に何らかの障害が発生している可能性がある。
【００２９】
このように本実施例では、ＶｏＩＰ加入者回路２０３に試験用擬似端末２０４を接続し、これを試験用擬似端末制御部２０５で制御することによって、ＶｏＩＰ加入者回路２０３側の障害の有無を簡単に知ることができる。
【００３０】
なお、以上説明した実施例では１つの試験用擬似端末２０４と１つのＶｏＩＰ加入者回路２０３が接続される場合を説明したが、複数の試験用擬似端末２０４が存在する場合にはこれらをそれぞれ１対１でＶｏＩＰ加入者回路２０３に接続することで、複数のＶｏＩＰ加入者回路２０３の試験を時間的に並行して行うことができる。従来の電話交換機では、図４で説明すると加入者回路１０１の出力が集線装置１０４によって集線されていたため、試験を並行して行うことができない。呼処理機能を持ったＶｏＩＰ加入者回路２０３を使用する本実施例の場合には、これ以外の通常の加入者回路の試験と異なり、呼処理を司るネットワークを必要とせず、また装置全体を動作させるソフトウェアも不要であるため、試験のためのシステム構成を簡略化することができる。また、ネットワークが構築されていない装置の立ち上げ時にも本実施例の加入者回路試験装置は呼処理機能を持ったＶｏＩＰ加入者回路２０３の試験を行うことができる。
【００３１】
なお、実施例では試験用擬似端末２０４をＶｏＩＰ加入者回路２０３に接続したが、ＶｏＩＰ加入者回路２０３以外の加入者回路に対しても本発明を適用できることはもちろんである。
【図面の簡単な説明】
【００３２】
【図１】本発明の一実施例における加入者回路試験装置の構成を表わしたブロック図である。
【図２】本実施例で試験用擬似端末制御部の制御の様子を表わした流れ図である。
【図３】本実施例でＶｏＩＰ加入者回路のＣＰＵ部の制御の様子を表わした流れ図である。
【図４】従来提案された加入者回路試験装置の一例を表わしたブロック図である。
【符号の説明】
【００３３】
２０３  ＶｏＩＰ加入者回路
２０４  試験用擬似端末
２０５  試験用擬似端末制御部
２１１  加入者回路
２１２  ＤＳＰ部
２１３  ＣＰＵ部
２２３  直流ループ検出部
２２６  トーン検出部
２２７  トーン送出部
２３１  呼処理部
２３２  ＩＰネットワークインタフェース部
２３５  ＩＰネットワーク
２４５  直流ループ形成部
２４６  電話番号送出部
２４７  ダイヤルトーン検出部
【図１】
2006304168.tif 000003
【図２】
2006304168.tif 000004
【図３】
2006304168.tif 000005
【図４】
2006304168.tif 000006